(57)【要約】 【課題】無線通信を利用しつつ、照明設備を容易に制御できる。【解決手段】無線用コントローラ１６は、無線調光機能付照明装置１７に係る照明部１７３の点灯状態を制御する指令情報を無線信号に乗せて送信する。設定器２４は、無線調光機能付照明装置１７の無線通信部１７１の設定情報を調整する指令情報を無線信号に乗せて送信する。無線調光機能付照明装置１７（無線通信部１７１）は、無線用コントローラ１６と設定器２４からの無線信号を受信する。制御部１７２は、無線通信部１７１により受信した無線信号から自装置の第３無線通信部の設定情報を抽出して、抽出した当該設定情報に基づいて無線通信部１７１の設定を調整する。制御部１７２は、設定が調整された無線通信部１７１により受信した無線信号から照明部１７３の点灯状態を制御する指令情報を抽出し、前記抽出した指令情報に基づいて、照明部１７３の光量を調整する。【選択図】図１
2016131080.tif 000002
【特許請求の範囲】
【請求項１】
共通する無線通信方式を用いて互いに通信可能な第１装置と第２装置と第３装置とがあり、前記第３装置に係る照明装置を制御する照明制御システムであって、
第１装置は、第３装置に係る照明装置の点灯状態を制御する指令情報を無線信号に乗せて送信する第１無線通信部を備え、
第２装置は、前記第３装置の無線通信部の設定情報を調整する指令情報を無線信号に乗せて送信する第２無線通信部を備え、
第３装置は、
前記第１装置と前記第２装置からの無線信号を受信する第３無線通信部と、
前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整する制御部と
を備えることを特徴とする照明制御システム。
【請求項２】
前記第２装置は、
前記第３装置の第３無線通信部の設定情報を調整する指令情報を生成する指令情報生成部
を備えることを特徴とする請求項１に記載の照明制御システム。
【請求項３】
前記第２装置と無線通信回線を介して接続され、前記第２装置を介して前記第３装置に係る照明装置の点灯状態を制御する第４装置があり、
前記第４装置は、前記第３装置に係る照明装置の点灯状態を制御する指令情報を示す指令情報を無線信号に乗せて送信し、
前記第２無線通信部は、
前記指令情報に基づいて、前記第３装置に係る照明装置の点灯状態を制御する指令情報を無線信号に乗せて送信する
ことを特徴とする請求項２に記載の照明制御システム。
【請求項４】
前記指令情報生成部は、
前記第４装置からの指令情報に応じて、前記第３装置に係る照明装置の点灯状態を制御する指令情報を無線信号に乗せて送信させる
ことを特徴とする請求項３に記載の照明制御システム。
【請求項５】
前記指令情報生成部は、
前記第４装置からの指令情報に応じて前記第３装置に係る照明装置の点灯状態を制御する指令情報を生成し、前記生成した指令情報を無線信号に乗せて送信させる
ことを特徴とする請求項３に記載の照明制御システム。
【請求項６】
前記第２装置は、
ユーザの指示を受け付ける入力部
を備え、
前記指令情報生成部は、
前記入力部が受け付けた指示に応じて、前記第３装置に係る照明装置の点灯状態を制御する指令情報を無線信号に乗せて送信させる
ことを特徴とする請求項２から５の何れか１項に記載の照明制御システム。
【請求項７】
前記第２装置の第２無線通信部は、
前記第１装置の第１送信部の設定情報を調整する指令情報を送信する
ことを特徴とする請求項１から６の何れか１項に記載の照明制御システム。
【請求項８】
前記第２装置は、
前記第３装置に対して１又は複数設けられている
ことを特徴とする請求項１から７の何れか１項に記載の照明制御システム。
【請求項９】
前記第２装置は、
ユーザが携行できるように構成されている
ことを特徴とする請求項１から８の何れか１項に記載の照明制御システム。
【請求項１０】
前記第３装置は、照明装置又は照明装置に対応して設けられている通信装置である
ことを特徴とする請求項１から９の何れか１項に記載の照明制御システム。
【請求項１１】
前記第１装置と第２装置は、それぞれが制御装置又は中継装置の何れかである
ことを特徴とする請求項１から１０の何れか１項に記載の照明制御システム。
【請求項１２】
前記第１装置、第２装置及び第３装置は、第１周波数帯を用いて互いに通信し、
前記第２装置と第４装置は、第２周波数帯を用いて互いに通信する
ことを特徴とする請求項３から５の何れか１項に記載の照明制御システム。
【請求項１３】
無線通信方式を用いて通信可能な第４装置と第２装置と第３装置とがあり、前記第３装置に係る照明装置を制御する照明制御システムであって、
第４装置は、第３装置に係る照明装置の点灯状態を制御する指令情報を無線信号に乗せて送信する第４無線通信部を備え、
第２装置は、前記第３装置の無線通信部の設定情報を調整する指令情報を無線信号に乗せて送信する第２無線通信部を備え、
前記第２装置は、前記第２無線通信部が前記第４装置から前記第３装置に係る照明装置の点灯状態を制御する指令情報を受信した場合、当該第３装置に係る照明装置の点灯状態を制御する指令情報を無線信号に乗せて送信し、
第３装置は、
前記第２装置からの無線信号を受信する第３無線通信部と、
前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整する制御部と
を備えることを特徴とする照明制御システム。
【請求項１４】
共通する無線通信方式を用いて互いに通信可能な第１装置と第２装置と第３装置とがあり、前記第３装置に係る照明装置を制御する照明制御システムにおける照明制御方法であって、
第１装置の第１無線通信部は、第３装置に係る照明装置の点灯状態を制御する指令情報を無線信号に乗せて送信し、
第２装置の第２無線通信部は、前記第３装置の無線通信部の設定情報を調整する指令情報を無線信号に乗せて送信し、
第３装置の第３無線通信部は、前記第１装置と前記第２装置からの無線信号を受信し、
前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整する
各過程を含むことを特徴とする照明制御方法。
【請求項１５】
共通する無線通信方式を用いて互いに通信可能な第１装置と第２装置と第３装置とがあり、前記第３装置に係る照明装置を制御する照明制御システムのコンピュータに、
第１装置の第１無線通信部が、第３装置に係る照明装置の点灯状態を制御する指令情報を無線信号に乗せて送信するステップと、
第２装置の第２無線通信部が、前記第３装置の無線通信部の設定情報を調整する指令情報を無線信号に乗せて送信するステップと、
第３装置の第３無線通信部が、前記第１装置と前記第２装置からの無線信号を受信するステップと、
前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整するステップと
を実行させるためのプログラム。
【発明の詳細な説明】
【技術分野】
【０００１】
本発明は、照明制御システム、照明制御方法、及びプログラムに関する。
【背景技術】
【０００２】
近年、電力を消費する設備機器の高効率化に加え、設備自動制御技術の進化、つまり、利用者の様々なニーズに答えつつ不要な電力を抑制するきめ細やかな制御が求められている。特許文献１に、照明器具等の省電力化を図るためのシステムが記載されている。特許文献１に記載されているシステムでは、照明器具毎に照明器具のオン・オフや調光制御等を行う制御ユニットが設置される。そして、１台のコントローラによって各制御ユニットの動作が制御される。その際、各照明器具は、各制御ユニットに対応するアドレスを用いて特定される。
【０００３】
ところで、照明機器については、ＤＡＬＩ（Digital Addressable Lighting Interface）と呼ばれる照明制御通信プロトコルが、ＩＥＣ（IEC62386）において規格化されている。ＤＡＬＩは、主に複数の照明器具の調光を行うために使用される。このＤＡＬＩは、伝送媒体として有線通信路を利用するものとして規定されている。
【先行技術文献】
【特許文献】
【０００４】
【特許文献１】特開２０１４−３９３８７号公報
【発明の概要】
【発明が解決しようとする課題】
【０００５】
しかしながら、ＤＡＬＩのような照明通信プロトコルを用いて各照明器具を制御することにより、高度な制御を行うことが可能になる。ＤＡＬＩの場合、有線通信を基本とするものであり、上記のような高度な制御を行える照明制御システムを導入する際には、照明装置の交換や照明器具までの通信線路の敷設が必要になる。
一方、特許文献１に記載の照明制御システムは、通信手段として無線通信を利用する。上記の照明制御システムを用いた構成では、１台のコントローラから各制御ユニットの動作を制御することが必要とされ、操作を行う際にコントローラがある位置まで出向くことが必要になり、照明設備を容易に制御できるものではなかった。
【０００６】
上記のとおり、無線通信を利用しつつ、照明設備を容易に制御できるように構成することは困難であった。
【０００７】
本発明は、上記のような事情を考慮してなされたものであり、無線通信を利用しつつ、照明設備を容易に制御できる照明制御システム、照明制御方法、及びプログラムを提供することを目的とする。
【課題を解決するための手段】
【０００８】
（１）上記課題を解決するため、本発明の一実施態様の照明制御システムは、共通する無線通信方式を用いて互いに通信可能な第１装置と第２装置と第３装置とがあり、前記第３装置に係る照明装置を制御する照明制御システムであって、第１装置は、第３装置に係る照明装置の点灯状態を制御する指令情報を無線信号に乗せて送信する第１無線通信部を備え、第２装置は、前記第３装置の無線通信部の設定情報を調整する指令情報を無線信号に乗せて送信する第２無線通信部を備え、第３装置は、前記第１装置と前記第２装置からの無線信号を受信する第３無線通信部と、前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整する制御部とを備えることを特徴とする照明制御システムである。
【０００９】
（２）上記一実施態様の照明制御システムにおける前記第２装置は、前記第３装置の第３無線通信部の設定情報を調整する指令情報を生成する指令情報生成部を備えることを特徴とする。
【００１０】
（３）上記一実施態様の照明制御システムにおいて、前記第２装置と無線通信回線を介して接続され、前記第２装置を介して前記第３装置に係る照明装置の点灯状態を制御する第４装置があり、前記第４装置は、前記第３装置に係る照明装置の点灯状態を制御する指令情報を示す指令情報を無線信号に乗せて送信し、前記第２無線通信部は、前記指令情報に基づいて、前記第３装置に係る照明装置の点灯状態を制御する指令情報を無線信号に乗せて送信することを特徴とする。
【００１１】
（４）上記一実施態様の照明制御システムにおける前記指令情報生成部は、前記第４装置からの指令情報に応じて、前記第３装置に係る照明装置の点灯状態を制御する指令情報を無線信号に乗せて送信させることを特徴とする。
【００１２】
（５）上記一実施態様の照明制御システムにおける前記指令情報生成部は、前記第４装置からの指令情報に応じて前記第３装置に係る照明装置の点灯状態を制御する指令情報を生成し、前記生成した指令情報を無線信号に乗せて送信させることを特徴とする。
【００１３】
（６）上記一実施態様の照明制御システムにおける前記第２装置は、ユーザの指示を受け付ける入力部を備え、前記指令情報生成部は、前記入力部が受け付けた指示に応じて、前記第３装置に係る照明装置の点灯状態を制御する指令情報を無線信号に乗せて送信させることを特徴とする。
【００１４】
（７）上記一実施態様の照明制御システムにおける前記第２装置の第２無線通信部は、前記第１装置の第１送信部の設定情報を調整する指令情報を送信することを特徴とする。
【００１５】
（８）上記一実施態様の照明制御システムは、前記第２装置は、前記第３装置に対して１又は複数設けられていることを特徴とする。
（９）上記一実施態様の照明制御システムにおける前記第２装置は、ユーザが携行できるように構成されていることを特徴とする。
請求項１から８の何れか１項に記載の照明制御システム。
【００１６】
（１０）上記一実施態様の照明制御システムにおける前記第３装置は、照明装置又は照明装置に対応して設けられている通信装置であることを特徴とする。
【００１７】
（１１）上記一実施態様の照明制御システムにおける前記第１装置と第２装置は、それぞれが制御装置又は中継装置の何れかであることを特徴とする。
【００１８】
（１２）上記一実施態様の照明制御システムにおける前記第１装置、第２装置及び第３装置は、第１周波数帯を用いて互いに通信し、前記第２装置と第４装置は、第２周波数帯を用いて互いに通信することを特徴とする。
【００１９】
（１３）本発明の一実施態様の照明制御システムは、無線通信方式を用いて通信可能な第４装置と第２装置と第３装置とがあり、前記第３装置に係る照明装置を制御する照明制御システムであって、第４装置は、第３装置に係る照明装置の点灯状態を制御する指令情報を無線信号に乗せて送信する第４無線通信部を備え、第２装置は、前記第３装置の無線通信部の設定情報を調整する指令情報を無線信号に乗せて送信する第２無線通信部を備え、前記第２装置は、前記第２無線通信部が前記第４装置から前記第３装置に係る照明装置の点灯状態を制御する指令情報を受信した場合、当該第３装置に係る照明装置の点灯状態を制御する指令情報を無線信号に乗せて送信し、第３装置は、前記第２装置からの無線信号を受信する第３無線通信部と、前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整する制御部とを備えることを特徴とする照明制御システムである。
【００２０】
（１４）本発明の一実施態様の照明制御方法は、共通する無線通信方式を用いて互いに通信可能な第１装置と第２装置と第３装置とがあり、前記第３装置に係る照明装置を制御する照明制御システムにおける照明制御方法であって、第１装置の第１無線通信部は、第３装置に係る照明装置の点灯状態を制御する指令情報を無線信号に乗せて送信し、第２装置の第２無線通信部は、前記第３装置の無線通信部の設定情報を調整する指令情報を無線信号に乗せて送信し、第３装置の第３無線通信部は、前記第１装置と前記第２装置からの無線信号を受信し、前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整する各過程を含むことを特徴とする照明制御方法である。
【００２１】
（１５）本発明の一実施態様のプログラムは、共通する無線通信方式を用いて互いに通信可能な第１装置と第２装置と第３装置とがあり、前記第３装置に係る照明装置を制御する照明制御システムのコンピュータに、第１装置の第１無線通信部が、第３装置に係る照明装置の点灯状態を制御する指令情報を無線信号に乗せて送信するステップと、第２装置の第２無線通信部が、前記第３装置の無線通信部の設定情報を調整する指令情報を無線信号に乗せて送信するステップと、第３装置の第３無線通信部が、前記第１装置と前記第２装置からの無線信号を受信するステップと、前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整するステップとを実行させるためのプログラムである。
【発明の効果】
【００２２】
本発明によれば、無線通信を利用しつつ、照明設備を容易に制御できる照明制御システム、照明制御方法、及びプログラムを提供することができる。
【図面の簡単な説明】
【００２３】
【図１】本発明の一実施形態の照明制御システム１の構成例を示したブロック図である。
【図２】図１に示した照明制御システム１の動作例を説明するためのシーケンス図である。
【図３】図２に示した照明調整処理の具体的な一例を説明するためのシーケンス図である。
【図４】図２に示した照明調整処理の具体的な他の一例を説明するためのシーケンス図である。
【図５】図２に示した照明調整処理の具体的な他の一例を説明するためのシーケンス図である。
【発明を実施するための形態】
【００２４】
以下、図面を参照して本発明の実施形態について説明する。図１は、本発明の一実施形態の照明制御システム１の構成例を示したブロック図である。図１に示した照明制御システム１は、ビル管理システム１１と、照明コントローラ１２と、端末１３と、有線用コントローラ１４と、有線調光機能付照明装置１５と、無線用コントローラ１６とを備える。照明制御システム１は、さらに、無線調光機能付照明装置１７と、無線ユニット１８と、センサ１９と、無線ユニット２０と、ファン２１と、外付無線ユニット２２と、調光機能付照明装置２３と、設定器２４と、操作器２５と、無線ユニット２６と、スイッチ２７と、スイッチ２８と、調光機能付照明装置２９とを備える。
【００２５】
ビル管理システム１１は、コンピュータとその周辺装置とを備えて構成されていて、コンピュータで所定のプログラムを実行することで、建物に設置された照明機器、空調機器等の設備の運転状態やエネルギーの消費量等を示すデータを蓄積、管理するための機能等を提供する。
照明コントローラ１２は、通信回線３１を介してビル管理システム１１に接続され、有線又は無線のＬＡＮ（Local Area Network）３２を介して端末１３に接続され、そして、ＲＳ−４８５等の通信線３３及び通信線３４を介して有線用コントローラ１４及び無線用コントローラ１６に接続され、通信線４３を介して無線ユニット２６に接続されている。ここで、ＲＳ−４８５は、米国電子工業会によって標準化されたシリアル通信の規格である。照明コントローラ１２は、コンピュータとその周辺装置とを備えて構成されていて、コンピュータで所定のプログラムを実行することで、ビル管理システム１１、端末１３、センサ１９、有線用コントローラ１４及び無線用コントローラ１６との間で所定の信号を送受信し、有線調光機能付照明装置１５、無線調光機能付照明装置１７、調光機能付照明装置２３、及びファン２１を制御する。
【００２６】
端末１３は、コンピュータとその周辺装置とを備えて構成されていて、コンピュータで所定のプログラムを実行することで、利用者の指示に応じて照明コントローラ１２にアクセスし、例えば有線調光機能付照明装置１５、無線調光機能付照明装置１７等に対する制御内容を設定あるいは変更したり、制御状況を監視したりする。
【００２７】
有線用コントローラ１４は、例えばマイクロコンピュータを有して構成されていて、マイクロコンピュータで所定のプログラムを実行することで、例えば照明コントローラ１２から受信した信号に基づき通信ケーブル３５を介して接続されている有線調光機能付照明装置１５を制御する。有線用コントローラ１４は、例えばＤＡＬＩ（Digital Addressable Lighting Interface）に従ったコマンド及び通信信号を用いて、有線調光機能付照明装置１５を制御する。有線調光機能付照明装置１５は、ＬＥＤを光源とする照明であり、有線用コントローラ１４から受信した制御信号に応じて光源を調光制御したり、オン・オフ制御したりする。
例えば、有線用コントローラ１４には配線４４を介してスイッチ２７等が接続されており、有線用コントローラ１４は、ユーザの操作によって切り替えられたスイッチ２７の状態を取得する。有線用コントローラ１４は、取得したスイッチ２７の状態に基づいて、有線調光機能付照明装置１５等の点灯状態を調整するようにしてもよい。スイッチ２７は、ＤＡＬＩに対応するものである。有線用コントローラ１４には、スイッチ２７以外のＤＡＬＩに対応する他の装置を、配線４４を介して接続するように構成してもよい。
【００２８】
無線用コントローラ１６は、制御部１６１と、無線通信部１６２と、インタフェース（ＩＦ）部１６３を有している。制御部１６１は、例えば通信機能、揮発性及び不揮発性のメモリ等を内蔵したマイクロコンピュータであり、不揮発性メモリに格納されているプログラムを実行することで、照明コントローラ１２と通信したり、無線通信部１６２を介して無線調光機能付照明装置１７等と通信したりする。無線用コントローラ１６は、例えば照明コントローラ１２から受信した信号に基づき無線通信部１６２を介して無線信号３６を送受信することで無線調光機能付照明装置１７を制御する。無線通信部１６２は、例えば、ＩＥＥＥ８０２．１５．４等の所定の短距離無線ネットワーク規格に従った無線通信によって、無線調光機能付照明装置１７のほか、外付無線ユニット２２と設定器２４との間で、所定の信号を送受信する。また、無線用コントローラ１６の制御部１６１は、例えば設定器２４から無線信号３０５を介して受信した指令情報に基づき無線通信部１６２の設定を変更する。インタフェース部１６３には、配線４５を介してスイッチ２８等が接続されており、インタフェース部１６３は、ユーザの操作によって切り替えられたスイッチ２８の状態を取得する。インタフェース部１６３は、取得したスイッチ２８の状態に基づいて、無線調光機能付照明装置１７等の点灯状態を調整するようにしてもよい。スイッチ２８は、ＤＡＬＩに対応するものであり、インタフェース部１６３にはスイッチ２８以外のＤＡＬＩに対応する他の装置を接続して構成してもよい。無線用コントローラ１６の制御部１６１は、例えばＤＡＬＩに従ったコマンド及び通信信号を用いて、調光機能付照明装置２９を制御する。調光機能付照明装置２９は、ＤＡＬＩに対応する照明であり、無線用コントローラ１６から受信した制御信号に応じて、その照明部（光源）を、調光制御したり、オン・オフ制御したりする。
【００２９】
無線調光機能付照明装置１７は、無線通信部１７１と、制御部１７２と、照明部１７３とを備える。無線通信部１７１は、無線通信部１６２と同様に所定の短距離無線ネットワーク規格に従った無線通信を行う。制御部１７２は、例えば通信機能、揮発性及び不揮発性のメモリ等を内蔵したマイクロコンピュータであり、不揮発性メモリに格納されているプログラムを実行することで、無線通信部１７１を介して無線用コントローラ１６又は設定器２４と通信したり、照明部１７３を制御したりする。照明部１７３は、例えばＬＥＤやインバータ制御の蛍光灯（Ｈｆ）を光源とする照明である。制御部１７２は、無線用コントローラ１６又は設定器２４から受信したメッセージに応じて照明部１７３を調光制御したり、オン・オフ制御したりする。また、無線調光機能付照明装置１７の制御部１７２は、例えば設定器２４から無線信号３０４を介して受信した指令情報に基づき無線通信部１７１の設定を変更する。
【００３０】
無線ユニット１８は、所定の通信線４０を介してセンサ１９から出力された所定の検知信号を入力したり、所定の短距離無線ネットワーク規格に従った無線通信によって、無線ユニット２６との間で無線信号３７を送受信したりする。センサ１９は、例えば人の存在を検知する人感センサ又は温度、湿度、照度等の検知器であり、検知結果を表す信号を、無線ユニット１８と無線ユニット２６とを介して照明コントローラ１２に送信する。
【００３１】
無線ユニット２０は、所定の通信線４１を介してファン２１に対して所定の制御信号を出力したり、所定の短距離無線ネットワーク規格に従った無線通信によって、無線ユニット２６との間で無線信号３８を送受信したりする。ファン２１は、扇風機あるいは換気扇であり、無線ユニット２６が送信した所定の制御信号を、無線ユニット２０を介して受信して、扇風機あるいは換気扇をオン・オフ制御したり、回転速度を制御したりする。
【００３２】
無線ユニット２６は、通信線４３を介して照明コントローラ１２に接続され、無線ユニット１８と無線信号３７を介して通信し、無線ユニット２０と無線信号３８を介して通信する。無線ユニット２６は、照明コントローラ１２と無線ユニット１８との間、照明コントローラ１２と無線ユニット２０との間の通信を中継する。例えば、無線ユニット２６は、ＰＬＣ（programmable logic controller）などを含めて構成する。
【００３３】
外付無線ユニット２２と、調光機能付照明装置２３とは、組み合わせることで、無線調光機能付照明装置１７と同等の機能を有する照明装置として動作する。外付無線ユニット２２は、無線通信部２２１と、制御部２２２とを有する。外付無線ユニット２２と、調光機能付照明装置２３とは、通信ケーブル４２を介して接続されている。調光機能付照明装置２３は、照明部２３１を備える。無線通信部２２１は、無線通信部１７１と同等の構成であり、無線通信部１６２又は無線通信部２４１との間で、所定の短距離無線ネットワーク規格に従い、無線信号３９を用いて所定の信号を送受信する。制御部２２２は、例えば通信機能、揮発性及び不揮発性のメモリ等を内蔵したマイクロコンピュータであり、不揮発性メモリに格納されているプログラムを実行することで、無線通信部２２１を介して無線用コントローラ１６と通信したり、照明部２３１を制御したりする。照明部２３１は、例えばＬＥＤを光源とする照明である。制御部２２２は、無線用コントローラ１６又は設定器２４から受信したメッセージに応じて照明部２３１を調光制御したり、オン・オフ制御したりする。また、外付無線ユニット２２の制御部２２２は、例えば設定器２４から無線信号３０３を介して受信した指令情報に基づき無線通信部２２１の設定を変更する。
【００３４】
設定器２４は、無線通信部２４１と、制御部２４２と、記憶部２４３と、入出力部２４４とを有している。制御部２４２は、例えば通信機能、揮発性及び不揮発性のメモリ等を内蔵したマイクロコンピュータであり、不揮発性メモリ等で構成される記憶部２４３等に格納されているプログラムを実行することで、無線通信部１６２を介して無線調光機能付照明装置１７等と通信したり、操作器２５と通信したりする。例えば、入出力部２４４は、表示部と入力部とを重ね合わせて一体として構成されたタッチパネルである。
【００３５】
設定器２４は、例えば入出力部２４４により受け付けた指示に基づき、又は、操作器２５から無線信号３０１として受信した指令情報に基づき、無線通信部２４１を介して無線信号３０４を送受信することで無線調光機能付照明装置１７と調光機能付照明装置２３とを制御する。無線通信部２４１は、例えば、ＩＥＥＥ８０２．１５．４等の所定の短距離無線ネットワーク規格に従った無線通信によって、無線調光機能付照明装置１７と外付無線ユニット２２との間で、所定の信号を送受信する。
また、設定器２４は、無線通信部１６２と無線通信部１７１と無線通信部２２１が互いに通信できるように、無線通信部１６２と無線通信部１７１と無線通信部２２１の通信に関する設定を調整する。
【００３６】
操作器２５は、無線通信部２５１と、制御部２５２と、記憶部２５３と、入出力部２５４とを有している。制御部２５２は、例えば通信機能、揮発性及び不揮発性のメモリ等を内蔵したマイクロコンピュータであり、不揮発性メモリ等で構成される記憶部２５３等に格納されているプログラムを実行することで、設定器２４を介して無線調光機能付照明装置１７等と通信して、その点灯状態を調整したりする。例えば、入出力部２５４は、表示部と入力部とを重ね合わせて一体として構成されたタッチパネルである。
操作器２５は、例えば入出力部２５４により受け付けた指示に基づき、無線通信部２５１を介して無線信号３０１を送受信することで無線調光機能付照明装置１７と調光機能付照明装置２３とを制御する。無線通信部２５１は、例えば、ＩＥＥＥ８０２．１５．４等の所定の短距離無線ネットワーク規格に従った無線通信によって、無線調光機能付照明装置１７と外付無線ユニット２２との間で、所定の信号を送受信する。
【００３７】
図１に示した構成では、無線通信部１６２、無線通信部１７１、無線通信部２２１及び無線通信部２４１には、次の形式の無線アドレスが設定され、その無線アドレスを宛先及び送信元に設定した無線通信が実行される。無線アドレスは、例えば、ＩＥＥＥ８０２．１５．４のＰＡＮ  ＩＤ（Personal Area Network識別子）とショートアドレスとから構成することができる。ＰＡＮ  ＩＤは、ネットワーク・グループを認識するための１６ビットの識別子である。そして、ショートアドレスは、ネットワークで管理デバイス等が動的に割り当てる１６ビットのアドレスである。
無線通信部１６２、無線通信部１７１、無線通信部２２１及び無線通信部２４１間の通信に使用する周波数帯域は、例えば、９２０ＭＨｚ帯を利用する。９２０ＭＨｚ帯を利用する無線方式は、２．４ＧＨｚ帯を利用する無線方式に比べて、通信距離や回り込み特性が優れている。上記の特徴を有する９２０ＭＨｚ帯を使用することにより、比較的小さな送信電力のもとで通信を行うことができ、無線通信に係る電力を、２．４ＧＨｚ帯を利用する無線方式のものに比べて少なくすることができる。また、９２０ＭＨｚ帯を利用することにより、屋内空間においてもコントローラから５０ｍ以上離れた照明器具との通信が可能になる。
【００３８】
また、制御部１６１と、制御部１７２、制御部２２２及び設定器２４との間では、例えばＣｏＡＰ（Constrained Application Protocol）に従ったメッセージがやりとりされる。ＣｏＡＰは、ＲＥＳＴ（Representational State Transfer）に従い、Ｍ２Ｍ（Machine to Machine）に適したプロトコルの１つである。ＣｏＡＰは、パケットヘッダが小さいこと、ステートレスな単一メッセージの交換を行うこと等の特長がある。
【００３９】
次に、図２を参照して、図１に示した照明制御システム１の動作例について説明する。同図は、図１に示した照明制御システム１の動作例を説明するためのシーケンス図である。
【００４０】
（初期状態設定処理）
まず、照明制御システム１は、初期状態設定処理（ステップＳ１００）を実施する。
例えば、無線用コントローラ１６の制御部１６１は、設定データＴＢＬとして無線通信のための各種設定データと照明装置の設定情報を所得する（ステップＳ１１１）。制御部１６１は、無線通信部１６２の各種変数を予め定められた値に設定する（ステップＳ１１２）。
設定器２４の制御部２４２は、設定データＴＢＬとして無線通信のための各種設定データを所得する（ステップＳ１２１）。
無線調光機能付照明装置１７は、据え付けられた後、電源が投入（電源ＯＮ）される。無線調光機能付照明装置１７の制御部１７２は、自らの初期化処理を実行し、照明部１７３の点灯状態を省電力になるような点灯状態にする（ステップＳ１４２）。制御部１７２は、各種設定を行うメンテナンスモードに遷移するか否かの判定を行う。例えば、メンテナンスモードに遷移するか否かの判定は、電源が投入されてから所定の時間が経過するまでに所定の信号を受け付けたか否かを条件にしてもよい。判定の結果によりメンテナンスモードに遷移した後に、制御部１７２は、その状態がメンテナンスモードに遷移していることを照明部１７３に表示させる（ステップＳ１４３）。例えば、メンテナンスモードの表示は、照明部１７３を、予め定めた任意の点灯状態にすることにより行ってもよい。
【００４１】
（無線通信部設定処理）
続いて、照明制御システム１は、無線通信部設定処理（ステップＳ２００）を実施する。
例えば、設定器２４の制御部２４２は、設定指示コマンド（指令情報）を無線調光機能付照明装置１７に送る（ステップＳ２２１）。
無線調光機能付照明装置１７の制御部１７２は、設定器２４からの「設定指示コマンド（指令情報）」を受けて、設定登録モードに遷移する。上記の「設定登録モード」は、無線通信部１７１と照明部１７３の各種変数を設定する動作モードである。（ステップＳ２４１）。
制御部１７２は、各照明装置を識別する個体識別情報を無線信号に乗せて送信する（ステップＳ２４２）。
制御部２４２は、無線調光機能付照明装置１７からの無線信号を受信して、受信した個体識別情報を収集する（ステップＳ２２２）。
制御部２４２は、受信した個体識別情報を用いて設備リスト作成し、作成した設備リストを設定データＴＢＬに書き込む（ステップＳ２２３）。
制御部２４２は、無線通信部の個別設定データを無線信号に乗せて送信する。例えば、無線通信部の個別設定データは、通信に使用する無線通信チャネル番号（無線ｃｈ）、ネットワーク識別情報（ＰＡＮ  ＩＤ）、リンク制御に用いるアドレス情報（ショートアドレス）等である（ステップＳ２２４）。
制御部１７２は、無線通信部の個別設定データを設定器２４から受信して、受信した個別設定データを制御部１７２の記憶領域に書き込み（ステップＳ２４４）、書込み状況を表示する（ステップＳ２４５）。
【００４２】
（照明制御情報設定処理）
続いて、照明制御システム１は、照明制御情報設定処理（ステップＳ３００）を実施する。
例えば、無線用コントローラ１２は、照明個別情報の設定を指示する指令情報を受け付けて、無線調光機能付照明装置１７に対して、照明個別情報の設定を指示する指令情報を無線信号に乗せて送信する。例えば、照明個別情報は、フェードレイト、フェード時間、グループ番号等のデータを含む（ステップＳ３１１）。
無線調光機能付照明装置１７の制御部１７２は、照明個別情報の設定を指示する指令情報を受け付けると、制御部１７２の記憶領域に照明個別情報を書き込む（ステップＳ３４１）。
以上の処理により、照明制御システム１は、「初期状態設定処理」、「無線通信部設定処理」、「照明制御情報設定処理」の各処理を終え、照明調整処理（ステップＳ４００）を実施する。
【００４３】
次に、図３を参照して、図１に示した照明制御システム１の動作例として、図２に示した照明調整処理の具体的な一例について説明する。同図は、図２に示した照明調整処理の具体的な一例を説明するためのシーケンス図である。
【００４４】
照明制御システム１は、「初期状態設定処理（ステップＳ１００）」、「無線通信部設定処理（ステップＳ２００）」、「照明制御情報設定処理（ステップＳ３００）」の各処理を終えた後、下記の照明調整処理（ステップＳ４００Ａ）を実施する。
例えば、無線用コントローラ１６は、端末１３からの調光操作に応じた指令情報を照明コントローラ１２を介して受け付けて、無線調光機能付照明装置１７における調光率を制御するように、無線調光機能付照明装置１７を制御する指令情報を無線信号に乗せて送信する（ステップＳ４１１）。
無線調光機能付照明装置１７は、調光率を制御する指令情報を受け付けて、指令情報に基づいて照明部１７３における調光率を制御する（ステップＳ４４１Ａ）。
以上の処理により、照明制御システム１は、無線用コントローラ１６を介して無線調光機能付照明装置１７の照明部１７３における調光率を調整することができる。
【００４５】
次に、図４を参照して、図１に示した照明制御システム１の動作例として、図２に示した照明調整処理の具体的な他の一例について説明する。同図は、図２に示した照明調整処理の具体的な他の一例を説明するためのシーケンス図である。
【００４６】
照明制御システム１は、「初期状態設定処理（ステップＳ１００）」、「無線通信部設定処理（ステップＳ２００）」、「照明制御情報設定処理（ステップＳ３００）」の各処理を終えた後、下記の照明調整処理（ステップＳ４００Ｂ）を実施する。
例えば、設定器２４は、入出力部２４４における調光操作を受け付けて、調光操作に応じて無線調光機能付照明装置１７の照明部１７３における調光率を制御するように、無線調光機能付照明装置１７を制御する指令情報を無線信号に乗せて送信する（ステップＳ４２１）。
無線調光機能付照明装置１７は、調光率を制御する指令情報を受け付けて、指令情報に基づいて照明部１７３における調光率を制御する（ステップＳ４４１Ｂ）。
以上の処理により、照明制御システム１は、設定器２４の操作に応じて無線調光機能付照明装置１７の照明部１７３における調光率を調整することができる。
【００４７】
次に、図５を参照して、図１に示した照明制御システム１の動作例として、図２に示した照明調整処理の具体的な他の一例について説明する。同図は、図２に示した照明調整処理の具体的な他の一例を説明するためのシーケンス図である。
【００４８】
照明制御システム１は、「初期状態設定処理（ステップＳ１００）」、「無線通信部設定処理（ステップＳ２００）」、「照明制御情報設定処理（ステップＳ３００）」の各処理を終えた後、下記の照明調整処理（ステップＳ４００Ｃ）を実施する。
例えば、操作器２５は、調光操作を受け付けて、無線調光機能付照明装置１７における調光率を制御するように、無線調光機能付照明装置１７を制御する指令情報を無線信号に乗せて送信する（ステップＳ４２１）。
設定器２４は、操作器２５から送信された無線調光機能付照明装置１７の調光率を制御する指令情報を受け付けて、受け付けた指令情報に応じて、無線調光機能付照明装置１７を制御する指令情報を無線信号に乗せて送信する（ステップＳ４２１Ｃ）。
無線調光機能付照明装置１７は、調光率を制御する指令情報を受け付けて、指令情報に基づいて照明部１７３の調光率を制御する（ステップＳ４４１Ｃ）。
以上の処理により、照明制御システム１は、操作器２５を操作することにより無線調光機能付照明装置１７の調光率を調整することができる。
【００４９】
上記のように、照明制御システム１は、ユーザの操作に基づいて、無線用コントローラ１６を介して、無線調光機能付照明装置１７を個別に制御することができる。また、照明制御システム１は、無線調光機能付照明装置１７の他にも、同様の処理により調光機能付照明装置２３、調光機能付照明装置２９などの各照明装置を個別に制御することができる。また、纏めて制御する対象の複数の照明装置を同じグループに登録することにより、一回の操作で、当該グループの照明装置の調効率を調整するように指示することが可能になる。ユーザの操作又はビル管理システム１１からの制御により、照明制御システム１は、無線調光機能付照明装置１７等の照明装置を個別に又はグループ単位で制御することができる。
【００５０】
また、照明制御システム１は、各種センサを利用して無線調光機能付照明装置１７等を制御してもよい。例えば、照明制御システム１は、明るさを測るセンサを利用して昼光を有効に利用するように各照明装置の点灯状態を個別に又は纏めて調整する自動制御を実施してもよい。
【００５１】
また、照明制御システム１は、人感センサや図示していない入退室セキュリティーシステム、スケジュールシステム等と連携させることにより、ユーザが不在時の消灯制御や予め設定されたスケジュールに基づいて制御するようにしてもよい。 
これにより、照明制御システム１は、上記のユーザが不在時の消灯制御や予め設定されたスケジュールに基づいたエリア単位で点灯状態を調整する制御等を行わずに一括して点灯状態を制御する場合と比較して、照明装置による消費電力を削減することが可能になる。
【００５２】
また、照明制御システム１は、照明装置に対する調光制御の方法として、ＤＡＬＩに規定された調光制御方法、又は、ＰＷＭ制御による調光制御方法を適用してもよい。
また、ビル管理システム１１は、図示しない各種設備の制御状態を管理するビルエネルギー管理システム（ＢＥＭＳ（Building Energy Management System））として構成することができる。例えば、照明制御システム１は、ビル管理システム１１に関連する各種設備と連携させて、例えば、空調設備の制御状況や消費電力量等のエネルギーの利用状況を可視化するように構成してもよい。
【００５３】
また、照明制御システム１は、無線通信回線を利用するように構成した場合、当該無線通信回線を利用する範囲に含まれる各照明装置をそれぞれ接続する制御用の配線を不要とすることができる。上記の場合、この照明制御システム１によれば、システムを導入する場合や、建物のリニューアルやオフィスのレイアウト変更等を実施する場合等に、各照明装置への制御用配線の敷設や変更を伴う配線工事が不要になる。
【００５４】
また、照明制御システム１は、各種センサに対応した自動制御機能を省いて構成することも可能である。そのように構成した場合、設定器２４や操作器２５等を操作して、無線通信回線を介して照明装置の点灯状態を制御するように構成することができる。上記のように構成した場合には、通信方式を変換するためのゲートウェイ等を用いることなくシステムを構成することができ、照明制御システム１の構成を簡素なものとすることができる。例えば、設定器２４と操作器２５は、スマートフォンやタブレット端末などの携帯型の端末装置であってもよい。これにより、照明制御システム１は、スマートフォンやタブレット端末などの端末装置から、調光機能付き照明器具を一灯ごとに無線で制御することができる。
【００５５】
また、照明制御システム１は、明るさセンサや人感センサを用いることで、昼の時間帯の照明装置の利用を抑えたり、不在時には自動消灯したりする等、各利用シーンに合わせ照明の点灯状態をきめ細やかにコントロールすることが可能となり、照明の消費電力を削減することが可能になる。
【００５６】
（１）上記のとおり、照明制御システム１は、共通する無線通信方式を用いて互いに通信可能な第１装置（無線用コントローラ１６）と第２装置（設定器２４）と第３装置（無線調光機能付照明装置１７）とがあり、前記第３装置に係る照明装置（照明部１７３）を制御する。第１装置は、第３装置に係る照明装置の点灯状態を制御する指令情報を無線信号に乗せて送信する第１無線通信部（無線通信部１６２）を備える。第２装置は、前記第３装置の無線通信部の設定情報を調整する指令情報を無線信号に乗せて送信する第２無線通信部（無線通信部１４２）を備える。第３装置は、前記第１装置と前記第２装置からの無線信号を受信する第３無線通信部（無線通信部１７１）と、前記第３無線通信部により受信した無線信号から自装置の第３無線通信部の設定情報を抽出して、抽出した当該設定情報に基づいて当該第３無線通信部の設定を調整し、前記設定が調整された第３無線通信部により受信した無線信号から自装置に係る照明装置の点灯状態を制御する指令情報を抽出し、前記抽出した指令情報に基づいて、当該照明装置の光量を調整する制御部１７２とを備える。
このように構成された照明制御システム１により、無線用コントローラ１６（無線通信部１６２）は、無線調光機能付照明装置１７に係る照明部１７３の点灯状態を制御する指令情報を無線信号に乗せて送信する。設定器２４（無線通信部１４２）は、無線調光機能付照明装置１７の無線通信部１７１の設定情報を調整する指令情報を無線信号に乗せて送信する。無線調光機能付照明装置１７（無線通信部１７１）は、無線用コントローラ１６と設定器２４からの無線信号を受信する。制御部１７２は、無線通信部１７１により受信した無線信号から自装置の第３無線通信部の設定情報を抽出して、抽出した当該設定情報に基づいて無線通信部１７１の設定を調整する。制御部１７２は、設定が調整された無線通信部１７１により受信した無線信号から照明部１７３の点灯状態を制御する指令情報を抽出し、前記抽出した指令情報に基づいて、照明部１７３の光量を調整する。
これにより、照明制御システム１は、無線通信を利用しつつ、無線調光機能付照明装置１７を容易に制御できる。
【００５７】
（２）また、設定器２４は、前記第３装置の第３無線通信部の設定情報を調整する指令情報を生成する指令情報生成部（制御部２４２）を備える。
このような設定器２４は、無線調光機能付照明装置１７の無線通信部１７１の設定情報を調整する指令情報を生成することにより、無線調光機能付照明装置１７を容易に制御できる。
【００５８】
（３）また、照明制御システム１には、設定器２４と無線通信回線を介して接続され、設定器２４を介して照明部１７３の点灯状態を制御する第４装置（操作器２５）がある。操作器２５は、照明部１７３の点灯状態を制御する指令情報を示す指令情報を無線信号に乗せて送信する。設定器２４（無線通信部１４２）は、操作器２５からの指令情報に基づいて、照明部１７３の点灯状態を制御する指令情報を無線信号に乗せて送信する。
これにより照明制御システム１（設定器２４）は、操作器２５からの指令情報に基づいて、照明部１７３の点灯状態を制御するように、照明部１７３の点灯状態を制御する指令情報を無線信号に乗せて送信することにより、無線調光機能付照明装置１７を容易に制御できる。
【００５９】
（４）また、設定器２４（制御部２４２）は、操作器２５からの指令情報に応じて、照明部１７３の点灯状態を制御する指令情報を無線信号に乗せて送信させる。
（５）或いは、設定器２４（制御部２４２）は、操作器２５からの指令情報に応じて照明部１７３の点灯状態を制御する指令情報を生成し、前記生成した指令情報を無線信号に乗せて送信させる。
このような設定器２４（制御部２４２）が、操作器２５からの指令情報に応じて照明部１７３の点灯状態を制御するための指令情報を無線信号に乗せて送信させることにより、照明制御システム１は、無線調光機能付照明装置１７を容易に制御できる。
【００６０】
（６）また、設定器２４（制御部２４２）は、ユーザの指示を受け付ける入出力部２４４（入力部）を備えている。制御部２４２は、入出力部２４４が受け付けた指示に応じて、照明部１７３の点灯状態を制御する指令情報を無線信号に乗せて送信させる。
このような設定器２４（制御部２４２）を用いることにより、照明制御システム１は、入出力部２４４によって自ら受け付けた指示に応じて、無線調光機能付照明装置１７を容易に制御できる。
【００６１】
（７）また、設定器２４（無線通信部１４２）は、無線用コントローラ１６（無線通信部１６２）の設定情報を調整する指令情報を送信する。
このような設定器２４（制御部２４２）は、無線用コントローラ１６（無線通信部１６２）の設定情報の調整を行って、無線調光機能付照明装置１７等との通信を行えるようにする。これにより照明制御システム１は、無線調光機能付照明装置１７を容易に制御できる。
【００６２】
（８）また、設定器２４は、無線調光機能付照明装置１７に対して１又は複数設けられていてもよい。
照明制御システム１は、このように必要な個数の設定器２４を設けることにより、無線調光機能付照明装置１７を容易に制御できる。
【００６３】
（９）また、設定器２４はユーザが携行できるように構成されていることから、照明制御システム１は、無線調光機能付照明装置１７を容易に制御できる。
【００６４】
（１０）また、上記の第３装置は、照明装置（無線調光機能付照明装置１７）又は照明装置（調光機能付照明装置２３）に対応して設けられている通信装置（外付無線ユニット２２）である。
このような照明制御システム１は、無線通信部１７１を装置本体に内蔵した無線調光機能付照明装置１７を制御することも、調光機能付照明装置２３に付帯する外付無線ユニット２２を介して調光機能付照明装置２３を制御することもできる。これにより、照明制御システム１は、既存の調光機能付照明装置２３に外付無線ユニット２２を増設して構成することができ、調光機能付照明装置２３等を容易に制御できる。
【００６５】
（１１）また、上記の第１装置と第２装置は、それぞれが制御装置又は中継装置の何れかである。例えば、第１装置である無線用コントローラ１６は、照明装置（無線調光機能付照明装置１７等）を制御する制御装置であって、照明コントローラ１２からの指令情報を照明装置（無線調光機能付照明装置１７等）に中継する中継装置でもある。また、第２装置である設定器２４は、自らの入出力部２４４で受け付けた指示に応じて照明装置（無線調光機能付照明装置１７等）を制御する制御装置であって、さらに、操作器２５からの指令情報を中継する中継装置でもある。このような照明制御システム１は、構成の自由度が高いことから、無線調光機能付照明装置１７等を容易に制御できるようにシステムを構成することができる。
【００６６】
（１２）無線用コントローラ１６と設定器２４と無線調光機能付照明装置１７は、第１周波数帯（例えば９２０ＭＨｚ帯）を用いて互いに通信する。一方、設定器２４と操作器２５は、第２周波数帯（例えば２．４ＧＨｚ帯）を用いて互いに通信する。
照明制御システム１は、このように異なる周波数帯を目的に応じて適用することができ、設定器２４が指令情報を中継するときや、通信頻度が高いとき等に生じうる輻輳の発生を抑制することができる。これにより、照明制御システム１は、無線調光機能付照明装置１７等を制御する際の操作性を高めて容易に制御することができる。
【００６７】
（１３）また、照明制御システム１は、無線通信方式を用いて通信可能な第４装置（操作器２５）と第２装置（設定器２４）と第３装置（無線調光機能付照明装置１７）とがあり、無線調光機能付照明装置１７に係る照明装置（照明部１７３）を制御する照明制御システムである。操作器２５は、無線調光機能付照明装置１７に係る照明装置（照明部１７３）の点灯状態を制御する指令情報を無線信号に乗せて送信する第４無線通信部（無線通信部２５１）を備える。設定器２４は、無線調光機能付照明装置１７の無線通信部（無線通信部１７１）の設定情報を調整する指令情報を無線信号に乗せて送信する第２無線通信部（無線通信部２４１）を備える。設定器２４は、無線通信部２４１が操作器２５から照明部１７３の点灯状態を制御する指令情報を受信した場合、当該照明部１７３の点灯状態を制御する指令情報を無線信号に乗せて送信する。無線調光機能付照明装置１７（無線通信部１７１）は、設定器２４からの無線信号を受信する。無線通信部１７１により受信した無線信号から無線通信部１７１の設定情報を抽出して、抽出した当該設定情報に基づいて当該無線通信部１７１の設定を調整し、前記設定が調整された無線通信部１７１により受信した無線信号から自装置に係る照明装置の点灯状態を制御する指令情報を抽出し、前記抽出した指令情報に基づいて、当該照明部１７３の光量を調整する。
これにより、照明制御システム１は、操作器２５から、無線調光機能付き照明装置１７等の照明部１７３を制御する際の操作性を高めるように構成することができ、無線調光機能付照明装置１７等を容易に制御することができる。
【００６８】
なお、本発明の実施の形態は上記のものに限定されない。例えば、無線用コントローラが備える制御部１６１が行った指令情報（ＣｏＡＰメッセージ）の作成及び送信の指示を、照明コントローラ１２や端末１３あるいはビル管理システム１１から行うこともできる。その場合、制御部１６１は、照明コントローラ１２、端末１３あるいはビル管理システム１１が有するコンピュータ等の制御部と一体として機能するものであるととらえることができる。また、図１に示した照明制御システム１は、各ブロックを統合したり、各ブロックを分離して分散して配置したりする等の変更を適宜行うことができる。また各ブロックが行う処理は、適宜他のブロックで実行したり、分散して実行したりすることができる。また、図１に示した各ブロックが有するコンピュータが実行するプログラムは、その一部又は全部をコンピュータ読み取り可能な記録媒体や通信回線を介して頒布することが可能である。
また、照明制御システム１は、図１に示す構成の一部を縮退して構成することもできる。例えば、照明制御システム１は、少なくとも無線調整機能付照明装置１７と設定器２４とを備えるものとして構成できる。照明制御システム１は、さらに、操作器２５を備えていてもよい。
【００６９】
また、照明制御システム１は、照明装置毎に当該照明装置の照明部のオン・オフや調光制御等を行うものとして説明したが、照明装置毎に照明部（光源）の点灯と消灯とを調整範囲に含めた調光制御を実施したり、照明装置毎に照明部（光源）の点灯と消灯のみの制御を実施したりするようにしてもよい。
なお、照明制御システム１内で、上記の制御を混在させて、照明装置毎に異なる設定（動作モード）にして構成することも可能である。例えば、比較的広いスペースを必要に応じて比較的狭い部屋に分けて利用する場合、当該スペースの利用状態に応じて、同スペースに設けられた照明装置を纏めて調光したり、分けて利用する部屋を単位とし、又は、照明装置を単位にして各照明装置を調光したりしてもよい。照明制御システム１は、個々の照明装置を個別に制御するように構成したことにより、当該スペースの利用状態の変更に応じて調光制御の方法を変更することができる。
また、照明制御システム１は、照明器具毎に個別の設定を据え付け後に実施するものとして説明したが、既に使用されていた照明器具の設定を、上記と同様の手順に従って変更することができる。
また、上記の「照明装置の点灯状態を制御する指令情報」は、ユーザの操作に応じて、照明装置の点灯状態を調整する調光制御を指令する指令情報に限られず、例えば照明装置の基本動作を指定する指令情報も含めることができる。
【符号の説明】
【００７０】
１  照明制御システム
１１  ビル管理システム（第１装置）、１２  照明コントローラ（第１装置）、
１３  端末（第１装置）、１４  有線用コントローラ、１５  有線調光機能付照明装置、
１６  無線用コントローラ（第１装置）、１６１  制御部、
１６２  無線通信部（第１無線通信部）、１６３  インタフェース部(ＩＦ部)、
１７  無線調光機能付照明装置（第３装置）、１７１  無線通信部（第３無線通信部）、
１７２  制御部、１７３  照明部（照明装置）
２２  外付無線ユニット（第３装置）、２２１  無線通信部（第３無線通信部）、
２２２  制御部、
２３  調光機能付照明装置（第３装置）、２３１  照明部（照明装置）
２４  設定器、２４１  無線通信部、２４２  制御部、２４３  記憶部、
２４４  入出力部
２５  操作器、２５１  無線通信部、２５２  制御部、２５３  記憶部、
２５４  入出力部
２６  無線ユニット、２７、２８  スイッチ、２９  調光機能付照明装置
【図１】
2016131080.tif 000003
【図２】
2016131080.tif 000004
【図３】
2016131080.tif 000005
【図４】
2016131080.tif 000006
【図５】
2016131080.tif 000007